(57)【要約】本発明は、コアブロックと外装ブロックとの間を弾性接触するようにする弾性具を挿入し、前記インコーナーブロックと結合されて壁体を成すようになる外郭壁体設置段階；梁の両端側と外郭壁体の内面に離隔領域を有する離隔領域に弾性部材を固定する梁側端の側端弾性部材設置段階；前記梁の上面に設置されるデッキプレートと前記梁の間に介在される梁の上面の上面弾性部材設置段階；前記上面弾性部材の上側にデッキプレートと、乾式暖房パネル、底仕上げパネルを設置するスラブ形成段階；スラブの複数の側端面と外郭壁体の内周面との間の離隔部位をシーリング仕上げ処理するスラブ側端仕上げ段階からなることを特徴とし、スラブの耐震性を確保し、スラブから伝達される衝撃騷音等が下層に伝達されることを防止することができるようにする。
2018529867.tif 000002
【特許請求の範囲】
【請求項１】
組立式ブロックを利用して外郭壁体（１０）と内部壁体（２０）を施工する壁体設置をし、その後、前記内部壁体（２０）の上端を横切って支持される梁（１１０）を設置し、前記梁（１１０）の上端に耐震性を持たせるようにするスラブ設置方法において、
前記組立式ブロックを構成する段階であって、ブロック中空部（１１ａ）及び端部側に半中空部（１１ｂ）が形成される外装ブロック（１１）を利用して側端部を配置し、前記外装ブロック（１１）の前記ブロック中空部（１１ａ）及び前記半中空部（１１ｂ）にコアブロック（１２）を挿入し、前記コアブロック（１２）と前記外装ブロック（１１）との間を弾性接触するようにする弾性具（１３）とを挿入して外郭壁体を構成する外郭壁体設置段階（Ｓ１００）と、
前記内部壁体（２０）の上端で支持される前記梁（１１０）の両端側を前記外郭壁体（１０）の内面に離隔領域を有するように離隔設置させ、前記離隔領域に側端弾性部材（１２０）を梁（１１０）の側端に固定する側端弾性部材設置段階（Ｓ２００）と、
前記梁（１１０）の上面にデッキプレート（２００）を設置し、前記梁（１１０）に上面弾性部材（１３０）を設置する上面弾性部材設置段階（Ｓ３００）と、
前記梁（１１０）に前記上面弾性部材（１３０）を設置する上面弾性部材設置段階（Ｓ３００）を完了した後、前記上面弾性部材（１３０）の上側にデッキプレート（２００）と、乾式暖房パネル（３００）と、底仕上げパネル（４００）とを設置するスラブ形成段階（Ｓ４００）と、
前記スラブ形成段階（Ｓ４００）によって形成されるスラブ（１００）の側端面と外郭壁体（１０）の内周面との間の離隔部位をシーリング仕上げ処理するスラブ側端仕上げ段階（Ｓ５００）とからなることを特徴とする、建築物スラブの耐震工法。
【請求項２】
建築物の前記外郭壁体（１０）を構成するインコーナー側にはインコーナーブロック（１４）が位置し、前記インコーナーブロック（１４）の中央にはインコーナー芯部材（１５）が挿入され、前記インコーナーブロック（１４）と隣接する前記外装ブロック（１１）とが結合されて前記外郭壁体（１０）を形成することを含む請求項１に記載の建築物スラブの耐震工法。
【請求項３】
前記インコーナー芯部材（１５）はＨビームまたは各管パイプの中の何れか一つを選択して形成されることを含む請求項２に記載の建築物スラブの耐震工法。
【請求項４】
前記外郭壁体（１０）の中央領域または等間隔で離隔される位置にある前記外装ブロック（１１）のブロック中空部（１１ａ）側に各管パイプ（１１ｃ）を垂直に挿入固定し、前記梁（１１０）の端部と前記各管パイプ（１１ｃ）との間を連結することを含む請求項１に記載の建築物スラブの耐震工法。
【請求項５】
前記梁（１１０）の端部と前記各管パイプ（１１ｃ）の連結は、前記各管パイプ（１１ｃ）上面に平板（１１ｄ）を熔接固定し、前記平板（１１ｄ）の上面側に前記梁（１１０）の端部が安着されるようにし、引き継き前記梁（１１０）の端部側にも前記平板（１１ｄ）の下端に熔接固定された各管パイプ（１１ｃ`）が上方向側に連結固定されることを含む請求項４に記載の建築物スラブの耐震工法。
【請求項６】
前記平板（１１ｄ）と前記梁（１１０）との間はボルトで連結することを含む請求項５に記載の建築物スラブの耐震工法。
【請求項７】
前記側端弾性部材設置段階（Ｓ２００）において、前記側端弾性部材（１２０）は前記梁（１１０）の端部両側にそれぞれ形鋼（１２１）を熔接固定し、前記形鋼（１２１）の内側にスラブ弾性具（１２２）を挿入し、前記梁（１１０）の端部側と前記外郭壁体（１０）との間を前記スラブ弾性具（１２２）が接触するようにすることを含む請求項１に記載の建築物スラブの耐震工法。
【請求項８】
前記スラブ弾性具（１２２）は、長さ方向に沿って全体的に切開される切開部（１２２ａ）を形成し、端部側は内側方向にテーパー面（１２２ｂ）を形成するテーパー部（１２２ｃ）を形成し、前記テーパー部（１２２ｃ）を等間隔に切開するテーパー切開溝（１２２ｄ）が複数形成されて弾性片（１２２ｅ）を有するようにすることを含む請求項７に記載の建築物スラブの耐震工法。
【請求項９】
前記上面弾性部材（１３０）は、前記梁（１１０）の上面で等間隔に離隔される位置ごとに上平板プレート（１３１）及び下平板プレート（１３２）を上下に離隔して構成し、前記上平板プレート（１３１）及び前記下平板プレート（１３２）を貫通するスプリング補強具（１３３）を形成するが、前記スプリング補強具（１３３）の内部にスプリング（１３４）が内在されるようにして、前記上平板プレート（１３１）及び前記下平板プレート（１３２）の離隔状態を保持しながら前記梁（１１０）から伝達される震動を前記スプリング（１３４）で相殺するようにすることを含む請求項１に記載の建築物スラブの耐震工法。
【発明の詳細な説明】
【技術分野】
【０００１】
本発明は、建築物の施工時に、組立式ブロックを利用して壁体を形成した後、その組立式ブロックで構成される壁体間を横切って設置されるスラブを施工処理する際に、耐震性の優れたスラブを得るための建築物スラブの耐震工法に関する。
【背景技術】
【０００２】
建築物の耐震設計は、地震や強風などの災害や、その他外部から建築物に伝達される外力に対応することができるように設計される。通常、柱構造物と梁構造物及び柱と梁の結合部位を構造的に補強し、建築物の空間底または天井を形成するスラブは、梁構造物の上部に支持される形態を有する。
【０００３】
ここで、前記梁構造物とスラブは、コンクリートの打設によって一体に施工される場合が多いが、このような施工構造では耐震性能が脆弱で、特に高層建築物の場合には構造的安全性を確保しにくくて、耐震安全性を保障しにくい。
【０００４】
これとは違って、耐震建築物の施工法の中の他の方法として、スラブが梁構造物の上部に施工されながら、梁構造物とスラブとの間に震動を緩衝することができる免震装置（耐震装置）を介在する形態の構造を有するスラブ施工法が存在する。
【０００５】
しかしながら、このような従来の耐震スラブ施工方法は、スラブが梁構造物の上部に施工されるため、緩衝機能を有する耐震装置を梁構造物とスラブとの間に介在しても建築物の震動及び衝撃の発生時に柱構造物と梁構造物及び耐震装置を通じてスラブにも震動及び衝撃が伝達されて、スラブの搖れ現象を防止することができない。
【０００６】
また、スラブが梁構造物の上部に施工されるため梁構造物とスラブとの間に緩衝機能を有する耐震装置を備えた場合、建築物の層高が低くなるという問題点が発生する。
【０００７】
前述した問題点を勘案して、韓国特許登録第１０−１４０４８１４号（２０１４．０６．１２公告）により、「免震スイングスラブ施工方法」が開示されているが、前記特許は、スラブを前記梁構造物の下部に相対的平面遊動可能に懸垂支持される懸垂部材を設置し、前記懸垂部材を前記スラブと前記梁構造物に対して相対遊動可能に結合する遊動結合手段を設置する支持装置設置段階を含むが、前記懸垂部材は前記スラブと前記梁構造物を遊動可能に貫通する棒形状を有しながら長さ方向の両側端部領域に前記遊動結合手段が結合される結合部が形成されており、前記遊動結合手段は前記懸垂部材の両側端部領域が、それぞれ遊動可能に通過する通孔を有する一対の遊動支持体と、前記両遊動支持体を通過した前記懸垂部材の前記結合部に結合されて、前記遊動支持体に対して相対遊動可能に支持される遊動結合部材とを含むことを特徴とする免震スイングスラブ施工方法を開示する。
【０００８】
上述した特許の場合、建築物の層高が低くなることを最小化して、スラブが相対的に平面遊動可能に懸垂支持されるようにする効果を期待することができるが、上下震動による耐震性は確保することができなくなるという問題がある。
【０００９】
また、韓国特許公開第１０−２００８−００５７１７号に「スラブ耐震構造」が開示されているが、この技術は、柱部材と梁を成す基本的な構造で前記梁に設置されるスラブの一側面と前記柱部材の一側面との間の空間に弾性部材を介在するようにする技術で、前記弾性部材はゴム、プラスチック、木材及び発泡スチロールの中の何れか一つを選んでなり、前記柱部材の周りに沿って設置されること、スラブと梁との間に介在されるなどの内容が開示されている。
【００１０】
しかしながら、前述した技術の場合、前記弾性部材として特定しているゴム、プラスチック、木材、発泡スチロールの中の何れか一つを選んでなる弾性部材を利用してスラブの震動による耐衝撃性及び耐震性を充分確保することは不可能である。
【００１１】
また、上述した技術以外にＰＣスラブを利用する建築物の場合、耐震性を確保するため、ハーフスラブ（Ｈａｌｆ  ＰＣ  Ｓｌａｂ）を利用したＰＲＣ（Ｐｒｅｃａｓｔ  Ｒｅｉｎｆｏｒｃｅｄ  Ｌａｙｅｒ  Ｃｏｎｓｔｒｕｃｔｉｏｎ  Ｍｅｔｈｏｄ）化する複合化工法などが実施されている。
【００１２】
前記ＰＲＣ複合化工法は鉄筋コンクリートラーメン（Ｒａｈｍｅｎ）構造の建物をＰＣ（Ｐｒｅｃａｓｔ  Ｃｏｎｃｒｅｔｅ）化することで、工場で製作されたＰＣ柱、ＰＣ梁、ハーフスラブなどのＰＣ部材を現場に運送、揚重して組立てた後、部材間の接合部とハーフスラブの上部にトッピングコンクリートを現場で打設して構造体を一体化する工法を言う。
【００１３】
しかしながら、現在建築物の施工で、現場打設による工法または工場でＰＣ部材を打設した後、現場に移送して工事することから脱皮して、現場で直接組立式ブロックを利用して建築物を施工処理する工法によって建築される場合が多い。
【００１４】
本出願人により既出願されて登録された韓国特許登録第１０−１３６５４８６号の「耐震用組立式外装ブロックユニット生産方法」または韓国特許登録第１０−１３６５４８７号の「耐震用組立式ブロックユニット」及び韓国特許登録第１０−１３６５４８５号の「耐震用組立式ブロックユニット構造及びこれを利用した耐震壁体の施工方法」などを開示することで、従来のＰＣ部材のみで建築されたり、または現場で打設される工法とは違って、建築施工工期を格段と短縮し、施工の完成度及び安定性などを考慮して、開示される建築施工方法等が漸次に開発されて現実的な施工方法に採択されているのが実情である。
【００１５】
しかしながら、このように組立式耐震ブロックを利用して建築物の壁体を施工してもスラブに対する耐震性を確保することは難しい。これを補完するためのものとして前述した梁構造物とスラブを免震装置として適用することが考えられるが、前述した問題点で指摘したように層高が低くなるという問題点は、避けることができない。
【発明の概要】
【発明が解決しようとする課題】
【００１６】
従って、本発明は、前述した他の技術から提示される問題点を克服し、特に組立式ブロックを利用して建築施工される建築物でスラブの耐震性を確保することができるようにすることにその目的がある。
【００１７】
また、本発明は、組立式ブロックによって施設される壁体とスラブとの間の連結領域を弾性手段を利用して直接的な衝撃の伝達が緩和されることができるようにして耐震性を有するようにしながらも、スラブから伝達される衝撃騷音等が下層に伝達されることを防止することができるようにする、騷音を遮断する役割も同時に可能にすることに他の目的がある。
【課題を解決するための手段】
【００１８】
上述した目的を達するための本発明は、
コアブロックと外装ブロックとの間を弾性接触するようにする弾性具を挿入し、前記インコーナーブロックと結合されて壁体を成す外郭壁体設置段階と、
梁の両端側と外郭壁体の内面に離隔領域を有する離隔領域に弾性部材を固定する梁側端の側端弾性部材設置段階と、
前記梁の上面に設置されるデッキプレートと前記梁との間に介在される梁の上面の上面弾性部材設置段階と、
前記上面弾性部材の上側にデッキプレート、乾式暖房パネル、底仕上げパネルを設置するスラブ形成段階と、
スラブの側端面と外郭壁体の内周面の間の離隔部位をシーリング仕上げ処理するスラブ側端仕上げ段階とで構成されて本発明の目的を達成することができる。
【発明の効果】
【００１９】
従って、本発明は、上述した他の技術から提示される問題点を克服し、特に組立式ブロックを利用して建築施工される建築物でスラブの耐震性を確保することができ、また本発明は組立式ブロックによって施設される壁体とスラブとの間の連結領域を弾性手段を利用して直接的な衝撃の伝達が緩和されることができるようにして耐震性を有するようにしながらも、スラブから伝達される衝撃騷音等が下層に伝達されることを防止することができるようにする、騷音の遮断役割も同時に可能にする効果を期待することができる。
【図面の簡単な説明】
【００２０】
【図１】本発明で外郭壁体設置段階の一例を示した図面である。
【図２】図１によって外郭壁体を構成する外装ブロックが、インコーナー芯部材及び中間の各管パイプなどによって支持されて設置された後、前記外装ブロックの内部ブロック中空部と半中空部側にそれぞれコアブロックが挿入されて弾性具によって固定支持される形態のための作業が行われる状態を示した図面である。
【図３】図２で外装ブロックとコアブロックのみを拡大分離して示した図面である。
【図４】図１〜図３によって外郭壁体の一列作業が行われた後その上方に連続して作業が繰り返し行われることができることを示した図面である。
【図５】図１〜図４による繰り返し作業によって外郭壁体が形成された状態を示した概括的な図面である。
【図６】図５によって建築物の外郭壁体を設置した後、その内部を区切る内部壁体が形成されることを示した概括的な図面である。
【図７】図６によって内部壁体が構成された後、前記内部壁体の上端で支持される梁が設置された状態を示した概括的な図面である。
【図８】図７によって内部壁体の上端で支持される梁の端部側と各管パイプとの間の連結状態を示した部分拡大図面である。
【図９】図８によって梁の設置が完了された後、前記梁の上面に上面弾性部材を設置する例を示した概括的な図面である。
【図１０】本発明における梁端部側の両側にそれぞれ側端弾性部材が備えられたことを示した図面である。
【図１１】本発明で採択したスラブ弾性具を示した図面である。
【図１２】本発明の各工程を示した工程図である。
【発明を実施するための形態】
【００２１】
本発明を実施するための最善の形態は、
組立式ブロックを利用して外郭壁体と内部壁体を施工する壁体設置及び前記内部壁体の上端を横切って支持される梁を設置し、前記梁の上端に耐震性を有するようにするスラブ設置方法において、
前記組立式ブロックを成すもので、建築物の外郭壁体を成すインコーナー側にはインコーナーブロックが位置し、前記インコーナーブロックの中央にはインコーナー芯部材が挿入され、ブロック中空部及び端部側に半中空部がなす外装ブロックと前記外装ブロックのブロック中空部及び半中空部に挿入されるコアブロック及び前記コアブロックと外装ブロックとの間を弾性接触するようにする弾性具を挿入して前記インコーナーブロックと結合されて壁体を成すようになる外郭壁体設置段階と、
前記内部壁体の上端で支持される梁の両端側と外郭壁体の内面に離隔領域を有するように離隔設置され、前記離隔領域に弾性部材を固定する梁側端の側端弾性部材設置段階と、
前記梁の上面に設置されるデッキプレートと前記梁との間に介在される梁上面の上面弾性部材設置段階と、
前記梁上面の弾性部材である上面弾性部材設置段階を完了した後、前記上面弾性部材の上側にデッキプレート、乾式暖房パネル、底仕上げパネルを設置するスラブ形成段階と、
前記スラブ形成段階によって形成されるスラブの側端面と外郭壁体の内周面との間の離隔部位をシーリング仕上げ処理するスラブ側端仕上げ段階とからなることを特徴とする。
【実施例】
【００２２】
以下添付された図面を参照して本発明の好ましい実施例を詳しく説明する。
【００２３】
本明細書及び請求範囲に用いられる用語や単語は、通常的または辞書的な意味に限定して解釈してはならず、発明者はその自分の発明を最も最善の方法で説明するために用語の概念を適切に定義することができるという点に即して、本発明の技術的思想に符合する意味と概念で解釈すべきである。従って、本発明の明細書に記載された実施例及び図面に示された構成は、本発明の最も好ましい一実施例に過ぎなく、本発明の技術的思想を全部代弁するのではない。また、本発明の出願時点においてこれを代替することができる多様な均等物と変形例が可能であるか存在することがあり得ることを理解すべきである。
【００２４】
本発明は組立式ブロック、特に耐震性を持たせる組立式ブロックを利用して建築物を建築施工する建築物スラブの耐震工法を提示する。
【００２５】
図１は、本発明によって実施される工程を時系列順で表わした図で、内部壁体の上端で支持される梁と外郭壁体間に側端弾性部材を設置する段階（Ｓ１００）と、前記梁の上面に設置されるデッキプレートの間に上下震動力を吸収するための上面弾性部材を設置する段階（Ｓ２００）と、スラブを完成するスラブ形成段階（Ｓ３００）と、スラブの最外郭と接する外郭壁体間を仕上げるスラブ側端仕上げ段階（Ｓ４００）とからなる。
【００２６】
外郭壁体設置段階−Ｓ１００
【００２７】
本発明では、組立式ブロックを利用して外郭壁体１０と内部壁体２０を施工した後内部壁体２０の上面に支持されるスラブ１００を設置施工して、地震などの災害の発生時に耐震性を確保することができるようにするためのものであり、本段階は、まず側端弾性部材を設置する前の段階として、外郭壁体１０を設置施工する過程を行う。この際、前記外郭壁体１０は図１〜図２に示すように、外郭壁体１０自体にも耐震性を確保するための組立式ブロックで施工処理することが好ましい。
【００２８】
例えば、外郭壁体１０の構成は、本出願人の韓国特許登録第１０−１３６５４８５号に開示された外装ブロック１１及び前記外装ブロック１１の内部に結合されるコアブロック１２の結合による構成と同じ構成を有するが、前記外装ブロック１１の内部には複数のブロック中空部１１ａを成し、側端部には半中空部１１ｂがそれぞれ形成されるようにし、前記外装ブロック１１の端部間の結合によって前記半中空部１１ｂは、完成された形態のブロック中空部を成す。
【００２９】
このような外装ブロック１１を利用して側端部を配置し、外装ブロック１１のブロック中空部１１ａ側に垂直に引入されて結合されるようにするコアブロック１２を挿入し、引き継き、前記コアブロック１２の四つの隅に形成される円弧形態の弾性具挿入孔１２ａ側に長さ方向に切開され弾性力を有する弾性具１３を強制的に挿入して、コアブロック１２と外装ブロック１１との間の直接的な接触を回避し、弾性具１３によって外装ブロック１１から伝達される震動力などが相殺可能になる。
【００３０】
前記のような構成を成す外装ブロック１１とコアブロック１２及び弾性具１３の相互結合によって、建築物の全体を成す外郭壁体１０を施工する。
【００３１】
一方、図１、図２または図４で示すように、外装ブロック１１及びコアブロック１２によって外郭壁体１０を成す場合、建築物の四つの隅には外装ブロック１１と規格などが異なるブロックを利用して施工することができる。
【００３２】
例えば、建築物に堅固性と荷重に対応する応力を持たせるために、インコーナーブロック１４を採択することができる。
【００３３】
勿論、前記インコーナーブロック１４の採択有無は施工される建築物の全体的荷重及び構造設計による変数によって採択されるかまたは採択されないこともある。
【００３４】
このようなインコーナーブロック１４は略「┓」字状を有するようにするが、中央にはＨビームや各管パイプが垂直に挿入されて立てられた状態で、その下端部は地盤に固定されるようにする構造を有する。
【００３５】
前記インコーナーブロック１４にも外装ブロック１１と同様に、ブロック中空部１４ａと半中空部１４ｂがそれぞれ形成される。前記インコーナーブロック１４のブロック中空部１４ａには、剛性をより増加するために内部にＨ−ビームまたは各管パイプからなるインコーナー芯部材１５を施工する。
【００３６】
前記インコーナーブロック１４の中央に形成される前記ブロック中空部１４ａは前記インコーナー芯部材１５を挿入した後底面にその端部が固定結合されるようにした。
【００３７】
同時に、インコーナーブロック１４の半中空部１４ｂと接する外装ブロック１１の半中空部１１ｂによって形成される完全な中空部側にはコアブロック１２及び弾性具１３を利用して積層結合されるようにし、全体的に建築物の外郭壁体１０を成すようになる。
【００３８】
側端弾性部材設置段階−Ｓ２００
【００３９】
本側端弾性部材設置段階（Ｓ２００）は層高を構成する内部壁体２０の施工を完了した後、前記内部壁体２０の上面によって支持される梁１１０を形成する時、前記梁１１０の側端と外郭壁体１０との間を連結する作業で前記梁１１０の側端に側端弾性部材１２０を設置する過程を意味する。
【００４０】
上記のように、建築物の基本骨格を構成して外郭を形成する外郭壁体１０の施工が、前述した外郭壁体設置段階（Ｓ１００）を経て行われ、同時に建築物の層高を形成するためのスラブ１００が設置施行されるが、本段階は前記スラブ１００を設置する前にまず外郭壁体１０を成す外装ブロック１１とスラブ１００を構成するための梁１１０の側端側に側端弾性部材１２０を形成するようになる。
【００４１】
ここで、前記外郭壁体１０が設置される時、前記スラブ１００を支持するための梁１１０と、外郭壁体１０の中間領域に垂直に設置されるＨビームまたは各管パイプとその端部が連結される。
【００４２】
外郭壁体１０を構成する時、インコーナー側にはインコーナーブロック１４が位置され、外郭壁体１０の辺には前記外装ブロック１１とコアブロック１２との組合によって設置されるが、外郭壁体１０の中央領域または等間隔で離隔される位置にある外装ブロック１１のブロック中空部１１ａ側に各管パイプ１１ｃを垂直に挿入して固定するが、前記梁１１０の端部と前記各管パイプ１１ｃとの間の連結作業が行われる。
【００４３】
即ち、図８に示すように、各管パイプ１１ｃの上面に平板１１ｄを熔接固定し、前記平板１１ｄの上面側に前記梁１１０の端部が安着されるようにし、引き継き、前記梁１１０の端部側にも平板１１ｄが下端に熔接固定された各管パイプ１１ｃ`が上方向側に連結固定される構成を有する。
【００４４】
同時に、前記平板１１ｄと前記梁１１０との間をボルトで連結する。
【００４５】
このように、各管パイプ１１ｃと梁１１０との間の端部連結作業が完了されると、前記梁１１０の端部両側面にそれぞれ側端弾性部材１２０を形成して、梁１１０の端部側と外郭壁体１０との間の震動力の伝達が吸収、遮断されることができるようにする。
【００４６】
ここで、前記側端弾性部材１２０は、図１０に示すように、梁１１０の端部両側にそれぞれ形鋼１２１を熔接固定し、前記形鋼１２１の内側にスラブ弾性具１２２を挿入して梁１１０の端部側と外郭壁体１０との間を前記スラブ弾性具１２２が接触されるようにした。
【００４７】
前記スラブ弾性具１２２は、図面に示すように、スラブ弾性具１２２の長さ方向に沿って全体的に切開される切開部１２２ａを形成し、端部側は内側方向にテーパー面１２２ｂを形成するテーパー部１２２ｃを形成し、前記テーパー部１２２ｃを等間隔に切開するテーパー切開溝１２２ｄが複数形成されて弾性片１２２ｅを有するようにする。
【００４８】
このようなスラブ弾性具１２２を備えてなる側端弾性部材１２０によって梁１１０と外郭壁体１０を成す外装ブロック１１間の直接接触を回避しながら弾性的な物性の提供により、外部からの震動力や地震等による震動力などが提供された時、これを容易に相殺するようにすることで、全体的な建築物の耐震性を確保することができ、本段階によって設置される側端弾性部材１２０によってスラブの水平震動力の衝撃吸収による耐震性を確保することができる。
【００４９】
上面弾性部材設置段階；Ｓ３００
【００５０】
本段階の上面弾性部材設置段階（Ｓ３００）は前述した側端弾性部材設置段階（Ｓ２００）によって設置された梁１１０の上面に弾性部材を設置するための段階であり、一般的に、梁１１０の上面には、デッキプレートと、乾式暖房パネル、底仕上げパネルなどが積層されて施工処理されるが、これは、前記梁１１０から震動力などがデッキプレート、乾式暖房パネル、底仕上げパネルなどからなるスラブ１００に伝達されることを防止するためである。
【００５１】
このための上面弾性部材１３０は、図９に示すような構成を有するが、梁１１０の上面に等間隔で離隔される位置ごとに上平板プレート１３１及び下平板プレート１３２を上下に離隔して構成し、前記上平板プレート１３１及び下平板プレート１３２を貫通するスプリング補強具１３３を形成するが、前記スプリング補強具１３３の内部にスプリング１３４が内在されるようにして、前記上平板プレート１３１及び下平板プレート１３２の離隔状態を保持しながら梁１１０から伝達される震動をスプリング１３４で相殺される。
【００５２】
外郭壁体１０から伝達される震動力は前述したようにスラブ１００を支持する梁１１０の側端弾性部材１２０を構成するスラブ弾性具１２２でその震動力を耐えることができる横圧力によって安定性を確保することができるが、垂直に伝達される震動力は相殺不可能になる。
【００５３】
従って、垂直方向に発生される震動力を相殺するために本発明における上面弾性部材１３０を採択して、梁１１０を通じて伝達する垂直力を相殺することができる。
【００５４】
即ち、本段階による上面弾性部材１３０の施設によって建築物でのスラブ１００に提供される垂直震動力を相殺緩衝して垂直震動力の衝撃吸収による耐震性を確保することができる。
【００５５】
従って、前述した側端弾性部材設置段階（Ｓ２００）と上面弾性部材設置段階（Ｓ３００）によって設置、施工される側面弾性部材１２０及び上面弾性部材１３０によってスラブの左右及び上下震動力を吸収、緩和して耐震性を確保することができる。
【００５６】
スラブ形成段階−Ｓ４００
【００５７】
前述した上面弾性部材１３０の設置が完了されると、前記上面弾性部材１３０の上面にデッキプレート２００と、乾式暖房パネル３００及び底仕上げパネル４００を順次に設置するスラブ形成段階（Ｓ４００）を行う。
【００５８】
前記デッキプレート２００を設置する施工方法及び乾式暖房パネル３００の設置過程、底仕上げパネル４００の設置方法などは公知された技術であって、本発明では詳しい説明は省略する。
【００５９】
一方、上記のようにデッキプレート２００と乾式暖房パネル３００及び底仕上げパネル４００で施工処理されて完成されるスラブ１００は全体的にその外郭面が外郭壁体１０の内側面とは離隔される状態になって、地震などや外力からの衝撃などが建築物に伝達された時、その震動力はスラブ１００側に直接伝達されることを回避されることができ、前述したように、その伝達力は側端弾性部材１２０及び上面弾性部材１３０によって相殺されることができる。
【００６０】
スラブ側端仕上げ段階−Ｓ５００
【００６１】
本段階は、前記スラブ形成段階（Ｓ４００）によって形成されるスラブ１００の側端面と外郭壁体１０の内周面との間の離隔部位をシーリング仕上げ処理する段階を意味する段階で、前記スラブ１００の設置が完了されるとスラブ１００と外郭壁体１０の内周面との間は離隔される状態を保持する。
【００６２】
このような離隔状態を保持すれば、前述したように地震などによって建築物に伝達される震動力の中の横力に対しては側端弾性部材１２０などによってその力を相殺することができるが、層間騷音に対しては脆弱であることがある。
【００６３】
従って、このような層間騷音を防止するために、スラブ１００が完成された後にはスラブ１００の側面と外郭壁体１０の内周面との間の離隔部位をシリコーン処理またはエポキシモールディング処理によって仕上げ処理される。
【００６４】
このような仕上げ処理によって、層間騷音を遮断することができ、一般的に発生される層間騷音の伝達形態は柱や壁体に沿って伝達されることを考慮すると、本発明による場合には各部材即ち外郭壁体１０と内部壁体２０を伝達子として騷音が伝達される現象を完全に排除することができることは勿論、スラブ１００と外郭壁体１０との間の離隔空間（または離隔部位）の仕上げ処理によって、騷音の伝達経路を完全に遮断、排除することができる。
【００６５】
以上のように、本発明は限定された実施例と図面によって説明されたが、本発明は前記実施例に限定されないことは勿論であり、本発明が属する分野において通常の技術的知識を有する者によって前記記載された内容から多様な修正及び変形が可能であることは勿論である。
【００６６】
従って、本発明における技術的思想は以下に記載される請求範囲によって把握するべきであり、これらと均等または等価変形も本発明の技術的思想の範疇に属することは自明である。
【産業上の利用可能性】
【００６７】
本発明は、建築物の施工時に、組立式ブロックを利用して壁体を形成した後、その組立式ブロックからなる壁体間を横切って設置されるスラブを施工処理する時、耐震性の優れたスラブを得ることができる産業上有用な利用可能性を有する。
【図１】
2018529867.tif 000003
【図２】
2018529867.tif 000004
【図３】
2018529867.tif 000005
【図４】
2018529867.tif 000006
【図５】
2018529867.tif 000007
【図６】
2018529867.tif 000008
【図７】
2018529867.tif 000009
【図８】
2018529867.tif 000010
【図９】
2018529867.tif 000011
【図１０】
2018529867.tif 000012
【図１１】
2018529867.tif 000013
【図１２】
2018529867.tif 000014
【国際調査報告】
2018529867.tif 000015
2018529867.tif 000016
2018529867.tif 000017
2018529867.tif 000018